(57)【要約】【課題】  画像表示プロジェクタを保存している際に、本体内部に埃などの塵埃が侵入するのを防止することを目的とする。【解決手段】  画像表示プロジェクタ1において、投射レンズ３２は、その前面を覆う保護キャップ５を、筐体１１は、当該筐体１１の内部で発生した熱を放出するために外気を取り入れる吸気口１２と、熱を吸収し、暖められた外気を筐体１１の外部に排気する排気口１３を、これら吸気口１２および排気口１３の内側には、当該吸気口１２および排気口１３を開閉するシャッター機構６を、更に備え、保護キャップ５は、投射レンズ３２に装着した後、回動可能に形成され、シャッター機構６は、保護キャップ５の回動に伴って開閉するように構成する。【選択図】図３
2009047944.tif 000002
【特許請求の範囲】
【請求項１】
画像投射用の光を出射する光源ユニットと、この光源ユニットから出射された光が入射され、入射された前記光を導光する導光路を有するライトトンネルおよびこのライトトンネルから出射された光を用いて画像形成素子により画像を形成し、この画像形成素子により形成した画像を投射して画像を表示する投射レンズを有する画像形成手段と、これら光源ユニットおよび画像形成手段を収納する筐体と、を備えた画像表示プロジェクタにおいて、
前記投射レンズは、その前面を覆う保護キャップを、前記筐体は、当該筐体の内部で発生した熱を放出するために外気を取り入れる吸気口と、前記熱を吸収し、暖められた前記外気を前記筐体の外部に排気する排気口を、これら吸気口および前記排気口の内側には、当該吸気口および排気口を開閉するシャッター機構を、更に備え、前記保護キャップは、前記投射レンズに装着した後、回動可能に形成され、前記シャッター機構は、前記保護キャップの前記回動に伴って開閉するように構成したことを特徴とする画像表示プロジェクタ。
【請求項２】
前記吸気口および排気口は、それぞれ複数の開口窓からなり、前記シャッター機構は、前記開口窓に対応する複数のシャッター片およびこれらシャッター片を連結する連結部からなるシャッター部と、このシャッター部に前記保護キャップの回動を伝達する伝達手段とから形成され、前記シャッター片は、回転軸により軸支され、前記開口窓に対して回転することにより、当該開口窓を開閉するように形成されていることを特徴とする請求項１に記載の画像表示プロジェクタ。
【請求項３】
前記吸気口および排気口は、それぞれ複数の開口窓からなり、前記シャッター機構は、前記開口窓に対応する部分にスリットを形成した櫛状のシャッター部と、このシャッター部に前記保護キャップの回動を伝達する伝達手段とから形成され、前記シャッター部は、前記開口窓に対してスライドすることにより、当該開口窓を開閉するように形成されていることを特徴とする請求項１に記載の画像表示プロジェクタ。
【請求項４】
前記保護キャップは、その外周部に突起部を有し、前記伝達手段は、前記保護キャップが挿入可能に形成され、前記突起部と係合する係合溝を有する回転リングと、この回転リングと前記シャッター部とを連結する連結具とからなり、前記回転リングに前記保護キャップを装着して回動することにより、前記回転リングが回転し、この回転に伴って前記連結具を介して前記シャッター部を開閉するように構成したことを特徴とする請求項１乃至請求項３のいずれかに記載の画像表示プロジェクタ。
【請求項５】
前記シャッター片の少なくとも一部は、前記保護キャップを前記投射レンズから取り外し、前記開口窓を開いた状態としたとき、前記外気を誘導する誘導壁として機能するように構成したことを特徴とする請求項２に記載の画像表示プロジェクタ。
【請求項６】
前記シャッター機構は、前記櫛状のシャッター部の上部および／または下部が装着可能なスライド溝を有するスライド部を、更に備え、前記スライド溝に前記シャッター部をスライド可能に装着し、当該シャッター部を前記開口窓に対してスライドすることにより、当該開口窓を開閉するように形成したことを特徴とする請求項３に記載の画像表示プロジェクタ。
【請求項７】
前記連結具は、線状部材により形成され、前記回転リングの回転に伴って、当該回転リングの外周に巻き付くように構成したことを特徴とする請求項４に記載の画像表示プロジェクタ。
【発明の詳細な説明】
【技術分野】
【０００１】
本発明は、画像を投射してスクリーンなどに表示する画像表示プロジェクタに関し、特に、この種画像表示プロジェクタを保存している際（不使用時）に、本体内部に埃などの塵埃が侵入するのを防止することができるようにしたものである。
【背景技術】
【０００２】
従来から、パソコンや光ディスクなどの再生装置などからの画像データを基に、光源ユニットから出射される光を用いて画像形成素子により画像を形成し、この画像形成素子により形成した画像を投射して画像を表示する投射レンズを有する画像形成手段によりスクリーンに投射して表示させる画像表示プロジェクタがある。このような画像表示プロジェクタにあっては、本体内部で発生する熱を速やかに排気し、本体内部が高温になるのを防止する必要がある。
【０００３】
このため、従来では、画像表示プロジェクタの筐体に、本体内部で発生した熱を放出するために外気を取り入れる吸気口と、熱を吸収し、暖められた外気を本体外部に排気する排気口を設けるようにしている。しかし、この種画像表示プロジェクタを保存している際、吸気口や排気口から本体内部に埃などの塵埃が侵入し、光源ユニットや画像形成手段などの光学部品に付着して、投射映像にその影を投射するなどの不都合がある。
【０００４】
この対策として、従来では、例えば、投射レンズと、この投射レンズと同一面に設けた吸気口または排気口のいずれか一方とを覆う箱状のカバー部材を、ヒンジ機構により筐体の側面から回動可能に形成するようにしたものがある(特許文献１参照）。
【特許文献１】特開２００７−１０７０９号公報
【発明の開示】
【発明が解決しようとする課題】
【０００５】
ところが、前述の特許文献１記載の構成では、箱状のカバー部材により、投射レンズと同一面に設けた吸気口または排気口のいずれか一方を、筐体とともに全体的に覆っているので、カバー部材そのものが大きく、画像表示プロジェクタが大型化する。また、カバーは、吸気口または排気口のいずれか一方のみを覆っているので、他方から本体内部に塵埃が侵入するなどといった問題がある。
【０００６】
本発明は、上述した問題を解決するためになされたものであり、この種画像表示プロジェクタを保存している際（不使用時）、本体内部に埃などの塵埃が侵入するのを防止するようにした画像表示プロジェクタを提供することを目的とする。
【課題を解決するための手段】
【０００７】
かかる目的を達成するため、本発明では、画像投射用の光を出射する光源ユニットと、この光源ユニットから出射された光が入射され、入射された前記光を導光する導光路を有するライトトンネルおよびこのライトトンネルから出射された光を用いて画像形成素子により画像を形成し、この画像形成素子により形成した画像を投射して画像を表示する投射レンズを有する画像形成手段と、これら光源ユニットおよび画像形成手段を収納する筐体と、を備えた画像表示プロジェクタにおいて、投射レンズは、その前面を覆う保護キャップを、筐体は、当該筐体の内部で発生した熱を放出するために外気を取り入れる吸気口と、熱を吸収し、暖められた外気を筐体の外部に排気する排気口を、これら吸気口および排気口の内側には、当該吸気口および排気口を開閉するシャッター機構を、更に備え、保護キャップは、投射レンズに装着した後、回動可能に形成され、シャッター機構は、保護キャップの回動に伴って開閉するように構成する。
【０００８】
この構成によれば、画像表示プロジェクタの本体内部に外気を吸気する吸気口および暖められた外気を本体外部に排気する排気口には、シャッター機構が設けられている。そして、このシャッター機構は、画像表示プロジェクタを使用しない際には、投射レンズに装着されたレンズを保護する保護キャップを回動することにより、閉じられる。従って、画像表示プロジェクタを使用しない際、即ち、保存時に、吸気口および排気口から本体内部に埃などの塵埃が侵入するのを防止することができる。
【０００９】
また、本発明においては、吸気口および排気口は、それぞれ複数の開口窓からなり、シャッター機構は、開口窓に対応する複数のシャッター片およびこれらシャッター片を連結する連結部からなるシャッター部と、このシャッター部に保護キャップの回動を伝達する伝達手段とから形成され、シャッター片は、回転軸により軸支され、開口窓に対して回転することにより、当該開口窓を開閉するように形成する。
【００１０】
この構成によれば、吸気口および排気口は、複数の開口窓から形成され、各開口窓は、回転軸により軸支されたシャッター片が回転することにより、当該開口窓を開閉するように形成されている。従って、吸気口および排気口は、本体内部を効果的に冷却できる位置に配置することができるとともに、所望（必要最小限）の数とすることができ、都合がよい。
【００１１】
また、本発明においては、吸気口および排気口は、それぞれ複数の開口窓からなり、シャッター機構は、開口窓に対応する部分にスリットを形成した櫛状のシャッター部と、このシャッター部に保護キャップの回動を伝達する伝達手段とから形成され、シャッター部は、開口窓に対してスライドすることにより、当該開口窓を開閉するように形成する。
【００１２】
この構成によれば、開口窓を開閉するシャッター機構は、開口窓に対応する部分にスリットを形成した櫛状のシャッター部から形成され、このシャッター部は、開口窓に対してスライドするように形成されている。従って、シャッター部が移動する範囲を含めた占有面積は、極めて小さく、この種画像表示プロジェクタの小型化を図ることができ、都合がよい。
【００１３】
また、本発明においては、保護キャップは、その外周部に突起部を有し、伝達手段は、保護キャップが挿入可能に形成され、突起部と係合する係合溝を有する回転リングと、この回転リングとシャッター部とを連結する連結具とからなり、回転リングに保護キャップを装着して回動することにより、回転リングが回転し、この回転に伴って連結具を介してシャッター部を開閉するように構成する。
【００１４】
この構成によれば、保護キャップは、その外周部に突起部を有し、伝達手段の回転リングに形成された係合溝と係合するように形成されているので、保護キャップを装着し、シャッター部を閉じた状態では、保護キャップは、容易に外れないので、保存時に、投射レンズの保護および吸気口および排気口から本体内部に埃などの塵埃が侵入するのを防止することができ、都合がよい。
【００１５】
また、本発明においては、シャッター片の少なくとも一部は、保護キャップを投射レンズから取り外し、開口窓を開いた状態としたとき、外気を誘導する誘導壁として機能するように構成する。
【００１６】
この構成によれば、開口窓を開いた状態、即ち、この種画像表示プロジェクタを使用する際に、シャッター片が外気を誘導する誘導壁として機能するので、効果的に本体内部の冷却を図ることができ、都合がよい。
【００１７】
また、本発明においては、シャッター機構は、櫛状のシャッター部の上部および／または下部が装着可能なスライド溝を有するスライド部を、更に備え、スライド溝にシャッター部をスライド可能に装着し、当該シャッター部を開口窓に対してスライドすることにより、当該開口窓を開閉するように形成する。
【００１８】
この構成によれば、櫛状のシャッター部は、スライド部のスライド溝に装着され、開口窓に対してスライドすることにより、当該開口窓を開閉するように形成している。従って、櫛状のシャッター部の開閉動作を極めてスムースに行うことができ、都合がよい。
【００１９】
更に、本発明においては、連結具は、線状部材により形成され、回転リングの回転に伴って、当該回転リングの外周に巻き付くように形成する。
【００２０】
この構成によれば、連結具は、線状部材により形成され、回転リングの回転に伴って、当該回転リングの外周に巻き付けることにより、シャッター部の開閉を行っている。従って、シャッター部を開閉するために、殊更、特別なリンク機構などを採用する必要がなく、都合がよい。
【発明の効果】
【００２１】
本発明によれば、この種画像表示プロジェクタを保存している際に、本体内部に埃などの塵埃が侵入するのを防止することができるようにした画像表示プロジェクタを得ることができる。
【発明を実施するための最良の形態】
【００２２】
（第１実施形態）
以下、本発明の一実施形態を図１乃至図７に基づいて説明する。図１は、本発明の一実施形態に係る画像表示プロジェクタの一例の概略構成を示す斜視図、図２は、図１に示す画像表示プロジェクタの一部を断面した上面図である。図３は、図２に示す画像表示プロジェクタの要部の上面断面図、図４は、図３に示す排気口部分の要部を示す側面断面図、図５は、保護キャップと伝達手段との関係を示す正面図、図６は、図５の側面断面図、図７は、保護キャップの一例を示す側面図である。
【００２３】
図１および図２に示す画像表示プロジェクタ１は、筐体１１内に、光源ユニット２と、画像形成手段３と、画像表示プロジェクタ１を制御する制御手段（不図示）を搭載したメインプリント回路基板Ｐを収納して構成されている。光源ユニット２は、ランプとリフレクタなどから構成され、パソコンや光ディスクやビデオカメラなどの再生装置などからの画像データを基に、制御手段により制御され光を出射する。このランプは、例えば、白色光を出射するものが用いられる。
【００２４】
画像形成手段３は、光源ユニット２から出射される光を用いて画像形成素子３１により画像を形成し、この画像形成素子３１により形成した画像を投射レンズ３２により図示しないスクリーンなどに投射して表示させる。この画像形成手段３は、上述の画像形成素子３１および投射レンズ３２に加え、カラーフィルタ３３と、ライトトンネル３４と、レンズ群３５と、プリント回路基板３６と、反射ミラー３７とを備えている。
【００２５】
画像形成素子３１は、光源ユニット２から射出された光を変調し、画像を形成するもので、例えば、プリント回路基板３５に搭載されている。この、画像形成素子３１は、例えば、液晶板、ＤＭＤ（Ｄｉｇｉｔａｌ  Ｍｉｃｒｏ  Ｍｉｒｒｏｒ  Ｄｅｖｉｃｅ）、およびＬＣＯＳ（Ｌｉｑｕｉｄ  Ｃｒｙｓｔａｌ  ｏｎ  Ｓｉｌｉｃｏｎ）などを用いることができる。例えば、ＤＭＤは、多数のマイクロミラーがマトリックス状に配列されて画像形成面が構成されており、各マイクロミラーの角度が制御手段（不図示）からの信号により制御されることで、画像形成面（各マイクロミラー）に照射される光を反射して画像を形成する。
【００２６】
カラーフィルタ３３は、光源ユニット２から出射された光を配色するものであり、回転軸３３ａを軸心として回転し、その回転方向に赤、緑、青、白（透明）の４枚のフィルタが配列された構成となっている。光源ユニット２から出射された光は、回転しているカラーフィルタ３３を透過することにより、赤、緑、青、白（透明）の４色に時系列的に配色される。
【００２７】
ライトトンネル３４は、その内面により導光路が形成され、カラーフィルタ３３を透過した光が入射され、カラーフィルタ３３により配色された光を均一化して出射するものである。レンズ群３５は、ライトトンネル３４から出射された光を画像形成素子３１上に結像させるものである。反射ミラー３７は、レンズ群３５を経由した光を反射して画像形成素子３１に導くものである。
【００２８】
投射レンズ３２は、画像形成素子３１により反射された光、すなわち画像形成素子３１で形成された画像を投射するためのものであり、筐体１１に設けられた画像投射用開口１１ａに臨む位置に配置されている。
【００２９】
かかる構成により、光源ユニット２から出射された画像投射用の光をカラーフィルタ３３により配色するとともにライトトンネル３４により均一化し、その光を反射ミラー３７にて反射して画像形成素子３１に導いて、画像形成素子３１にて画像を形成する。そして、画像形成素子３１からの反射光、即ち、画像形成素子３１にて形成された画像を投射レンズ３２よりスクリーンなどに投射する。これにより、ユーザは、所望の画像を観ることができる。
【００３０】
而して、本発明に従い、投射レンズ３２には、その前面に着脱可能に保護キャップ４が装着される。この保護キャップ４は、図７に示すようにその外周に、例えば、２個の突起部４１が設けれ、投射レンズ３２に装着した後、回動可能に形成されている。また、筐体１１には、その内部で発生した熱を放出するために外気を取り入れる吸気口１２と、熱を吸収し、暖められた外気を筐体１１の外部に排気する排気口１３が設けられている。これら吸気口１２および排気口１３は、それぞれ複数の開口窓１２ａ、１３ａから形成されている。
【００３１】
また、吸気口１２および排気口１３の内側には、当該吸気口１２および排気口１３を開閉するシャッター機構５が設けられている。このシャッター機構５は、保護キャップ４の回動に伴って開閉するように構成されている。本実施形態では、シャッター機構５は、例えば、図３および図４に示すように、開口窓１２ａ、１３ａに対応する複数のシャッター片５１およびこれらシャッター片５１を連結する連結部５２からなるシャッター部５３と、このシャッター部５３に保護キャップ４の回動を伝達する伝達手段６とから形成されている。このシャッター片５１は、回転軸５１ａにより軸支され、開口窓１３ａ（１２ａ）に対して回転することにより、当該開口窓１３ａ（１２ａ）を開閉するように形成されている。各シャッター片５１は、例えば、レバー５１ｂが形成され、ワイヤなどの線状部材からなる連結部材５により連結されている。
【００３２】
また、シャッター片５１の少なくとも一部は、保護キャップ４を投射レンズ３２から取り外し、開口窓１２ａ、１３ａを開いた状態としたとき、外気を所望する領域、例えば、光源ユニット２やライトトンネル３４の方向に誘導する誘導壁の一部として機能するように構成しても良い。この構成によれば、開口窓１２ａ、１３ａを開いた状態、即ち、この種画像表示プロジェクタ１を使用する際に、シャッター片５１が外気を誘導する誘導壁として機能するので、効果的に本体内部の冷却を図ることができ、都合がよい。
【００３３】
開閉手段６は、図５および図６に示すように、突起部２を覆い、かつ、回転可能であって、保護キャップ４が挿入可能に形成され、保護キャップ４の突起部４１と係合する係合溝６１ａを有する回転リング６１と、この回転リング６１に一端が連結され、他端がシャッター部５３に連結された連結具６２とから形成されている。そして、回転リング６１と、投射レンズ３２との間に保護キャップ４を装着して回動することにより、回転リング６１もともに回転し、この回転に伴って連結具６２を介してシャッター部５３を開閉するように構成されている。本実施形態では、連結具６２は、例えば、ワイヤなどの線状部材からなり、回転リング６１の回転に伴って、当該回転リング６１の外周に連結具６２の一部が巻き付き、これにより連結具６２が回転リング６１側に移動し、シャッター部５３を閉じるように構成されている。また、図２に示すように、投射レンズ３２と異なる面に設けられた吸気口１２側のシャッター部５３を開閉するには、コーナ部分に方向転換用の滑車６３を設け、連結具６２の移動方向を変更するようにすればよい。
【００３４】
そして、投射レンズ３２に保護キャップ４が装着されていない状態、即ち、使用状態では、図示しないバネなどの付勢手段により、シャッター部５３が開き、開口窓１２ａ、１３ａを開いた状態となるように構成し、吸気口１２および排気口１３は、その機能を充分に発揮する。また、保護キャップ４が回転リング６１と、投射レンズ３２との間に装着され、シャッター部５３を閉じた状態では、上述したバネなどの付勢手段により、シャッター部５３が開かないように、ロック機構（不図示）を設けるのが好ましい。
【００３５】
また、図示しないが、本体内部に外気を吸気および排気するために、吸排気用のファーおよび／またはブロワなどの送風手段を設けてもよいのは、勿論である。また、連結具６２としては、前述の連結部材５２を、例えば、開閉手段６側、即ち、回転リング６１側に延長して、連結具６２を兼ねるようにしてもよいのは、勿論である。また、図示しないが、回転リング６１の外周に連結具６２を誘導する誘導溝を形成して、巻取りがスムースに行えるように構成してもよいのは、勿論である。
【００３６】
以上の構成により、例えば、画像表示プロジェクタ１を使用し、その後、保管する場合には、保護キャップ４を投射レンズ３２と、回転リング６１との間に、突起部４１が係合溝６１ａに係合するように装着し、所定の方向、例えば、図５において、時計方向に回動する。これにより回転リング６１も同時に回転し、回転リング６１に連結具６２が巻き取られ、これに伴って、図示しない付勢手段に抗して、シャッター部５３を閉じることができる。
【００３７】
以上の構成による本実施形態によれば、画像表示プロジェクタ１の本体内部に外気を吸気する吸気口１２および暖められた外気を本体外部に排気する排気口１３には、シャッター機構５が設けられている。そして、このシャッター機構５は、画像表示プロジェクタ１を使用しない際には、投射レンズ３２に装着されたレンズを保護する保護キャップ４を回動することにより、閉じられる。従って、画像表示プロジェクタ１を使用しない際、即ち、保存時に、吸気口１２および排気口１３から本体内部に埃などの塵埃が侵入するのを防止することができる。
【００３８】
また、本実施形態によれば、吸気口１２および排気口１３は、複数の開口窓１２ａ、１３ａから形成され、各開口窓１２ａ、１３ａは、回転軸５１ａにより軸支されたシャッター片５１が回転することにより、当該開口窓１２ａ、１３ａを開閉するように形成されている。従って、吸気口１２および排気口１３は、本体内部を効果的に冷却できる位置に配置することができるとともに、必要最小限の数とすることができ、都合がよい。
【００３９】
また、本実施形態によれば、保護キャップ４は、その外周部に突起部４１を有し、開閉手段６の回転リング６１に形成された係合溝６１ａと係合するように形成されているので、保護キャップ４を装着し、シャッター部５３を閉じた状態では、保護キャップ４は、容易に外れないので、保存時に、投射レンズ３２の保護および吸気口１２および排気口１３から本体内部に埃などの塵埃が侵入するのを防止することができ、都合がよい。
【００４０】
更に、本実施形態によれば、連結具６２は、線状部材により形成され、回転リング６１の回転に伴って、当該回転リング６１の外周に巻き付けることにより、シャッター部５３の開閉を行っている。従って、シャッター部５３を開閉するために、殊更、特別なリンク機構などを採用する必要がなく、都合がよい。
【００４１】
（第２実施形態）
次に、本発明の第２実施形態について図８乃至図１１を参照しながら説明する。図８は、本発明の第２実施形態に係る画像表示プロジェクタに用いられるシャッター機構と伝達手段との関係を示す正面図、図９は、図８に示すシャッター機構を示す正面図、図１０は、シャッター機構が開いた状態を示す上面断面図、図１１は、シャッター機構が閉じた状態を示す上面断面図である。なお、図８乃至図１１において、上述した図１乃至図７と同じ符号を付した部分は、略同一のものを示すため、ここでは詳細な説明は省略する。以下、上述した第１実施形態との相違点を中心に説明する。
【００４２】
本実施形態では、図８乃至図１１に示すように、シャッター機構は、複数のシャッター片５１を、下端部の連結部５２で連結した状態に形成した櫛状のシャッター部５３としたものである。櫛状のシャッター部５３は、例えば、方形状の素材から開口窓１３ａ（１２ａ）に対応する部分にスリット５４を形成することにより製作することができる。そして、この櫛状のシャッター部５３の上下に、スライド溝７１を有するスライド部７を配設し、櫛状のシャッター部５３をスライド可能に装着し、櫛状のシャッター部５３を開口窓１３ａ（１２ａ）に対してスライドすることにより、当該開口窓１３ａ（１２ａ）を開閉するように形成したものである。なお、伝達手段６は、上述の第１実施形態と同様、回転リング６１と、一端が回転リング６１に繋がれ、他端が櫛状のシャッター部５３に繋がれた連結具６２から構成されている。
【００４３】
スライド部７としては、例えば、断面が「コ」字状部材を用いて、スライド溝７１を形成しても、また、断面が「Ｌ」字状部材或いは板状部材を用い、筐体１１の内壁面との間に、スライド溝７１を形成するようにしてもよいのは、勿論である。
【００４４】
以上の構成により、例えば、画像表示プロジェクタ１を使用して、その後、保管する場合には、保護キャップ４を投射レンズと、回転リング６１との間に、突起部４１が係合溝６１ａに係合するように装着し、所定の方向、例えば、図８において、時計方向に回動する。これにより回転リング６１も同時に回転し、回転リング６１に連結具６２が巻き取られ、これに伴って、櫛状のシャッター部５３は、スライド溝７１内をスライド移動し、図１０の開口窓１３ａ（１２ａ）開いた状態から、図１１の閉じた状態とすることができる。
【００４５】
以上の構成による本実施形態よれば、上述した実施形態と同様の作用効果を奏する他、開口窓１２ａ、１３ａを開閉するシャッター機構５は、開口窓１２ａ、１３ａに対応する部分にスリット５４を形成した櫛状のシャッター部５３から形成され、このシャッター部５３は、開口窓１２ａ、１３ａに対してスライドするように形成されている。従って、シャッター部５３が移動する範囲を含めた占有面積は、極めて小さく、この種画像表示プロジェクタの小型化を図ることができ、都合がよい。
【００４６】
更に、本実施形態によれば、櫛状のシャッター部５３は、スライド部７のスライド溝７１に装着され、開口窓１２ａ、１３ａに対してスライドすることにより、当該開口窓１２ａ、１３ａを開閉するように形成している。従って、櫛状のシャッター部５３の開閉動作を極めてスムースに行うことができ、都合がよい。
【００４７】
なお、上述した各実施形態は、本発明の好適な実施例であるが、本発明はこれに限定されるものではなく、本発明の要旨を逸脱しない範囲において、種々変形実施可能である。
【図面の簡単な説明】
【００４８】
【図１】本発明の一実施形態に係る画像表示プロジェクタの一例の概略構成を示す斜視図である。
【図２】図１に示す画像表示プロジェクタの一部を断面した上面図である。
【図３】図２に示す画像表示プロジェクタの要部の上面断面図である。
【図４】図３に示す排気口部分の要部を示す側面断面図である。
【図５】保護キャップと伝達手段との関係を示す正面図である。
【図６】図５の側面断面図である。
【図７】保護キャップの一例を示す側面図である。
【図８】本発明の第２実施形態に係る画像表示プロジェクタに用いられるシャッター機構と伝達手段との関係を示す正面図である。
【図９】図８に示すシャッター機構を示す正面図である。
【図１０】シャッター機構が開いた状態を示す上面断面図である。
【図１１】シャッター機構が閉じた状態を示す上面断面図である。
【符号の説明】
【００４９】
１      画像表示プロジェクタ
１１    筐体
１２    吸気口
１２ａ  開口窓
１３    排気口
１３ａ  開口窓
２      光源ユニット
３      画像形成手段
３１    画像形成素子
３２    投射レンズ
４      保護キャップ
４１    突起部
５      シャッター機構
５１    シャッター片
５１ａ  回転軸
５２    連結部
５３    シャッター部
５４    スリット
６      伝達手段
６１    回転リング
６１ａ  係合溝
６２    連結具
７      スライド部
７１    スライド溝
【図１】
2009047944.tif 000003
【図２】
2009047944.tif 000004
【図３】
2009047944.tif 000005
【図４】
2009047944.tif 000006
【図５】
2009047944.tif 000007
【図６】
2009047944.tif 000008
【図７】
2009047944.tif 000009
【図８】
2009047944.tif 000010
【図９】
2009047944.tif 000011
【図１０】
2009047944.tif 000012
【図１１】
2009047944.tif 000013